(57)【特許請求の範囲】
【請求項１】
断面形状が略三角形状に形成された延伸モノフィラメント２１に捲縮加工が施された多数本の単繊維２２が引き揃えられて撚り加工を施された紐状体２３が、所定長さに切断されて多数本並列配置され、
該切断紐状体列２３ａの幅方向長さｗの略中間部分ｃに各単繊維２２の個別移動を阻止する繊維固定手段２４が施されて形成された紐状体並列体２５が、
その一端側から簀巻き状に巻かれて一塊の柱状またはボール状に形成されたブラシ体２が、
その幅方向中間部分cの外周部が適宜の結束手段３によって緊締挟持された状態で、長手方向略中間部に折畳み姿勢Ｆと伸張姿勢Ｌとに変形可能な折曲げ部１２を備えた握り柄１の先端部１１に固着されている洗浄用ブラシ。
【請求項２】
断面形状が略四角形状に形成された延伸モノフィラメント４１に捲縮加工が施された多数本の単繊維４２が引き揃えられて撚り加工を施された紐状体４３が、所定長さに切断されて多数本並列配置され、
該切断紐状体列４３ａの幅方向長さｗの略中間部分ｃに各単繊維４２の個別移動を阻止する繊維固定手段２４が施されて形成された紐状体並列体４５が、
その一端側から簀巻き状に巻かれて一塊の柱状またはボール状に形成されたブラシ体４が、
その幅方向中間部分cの外周部が適宜の結束手段３によって緊締挟持された状態で、長手方向略中間部に折畳み姿勢Ｆと伸張姿勢Ｌとに変形可能な折曲げ部１２を備えた握り柄１の先端部１１に固着されている洗浄用ブラシ。
【請求項３】
握り柄１が、折曲げ部１２の近傍箇所に吊り下げ係止用穴１４を備えたものである請求項１または２に記載の洗浄用ブラシ。
【請求項４】
繊維固定手段２４が、縫い糸による縫製手段である請求項１乃至３の何れかに記載の洗浄用ブラシ。
【請求項５】
繊維固定手段２４が、加熱圧縮融着手段である請求項１乃至３の何れかに記載の洗浄用ブラシ。
【発明の詳細な説明】
【技術分野】
【０００１】
この発明は、ブラシに関するもので、特に使用対象物を限定しなければならないものではないが、主として、食器類の洗浄用に適したブラシであって、通常の汚れでは台所用洗剤等を使用することなく、水だけで清潔に清浄することができる洗浄用ブラシに関する。
【背景技術】
【０００２】
従来から、この種の食器類や台所用品等の水を利用して洗浄するブラシは、各種各様のものが出廻っており広く一般に周知され使用されている。
【０００３】
しかしながら、これら従来の洗浄用ブラシは、粉末状や液状の各種の洗浄剤を使用し、洗浄剤がもつ洗浄力を利用して汚れを落とすという手段を採用している。例えば、コップ等の洗浄に際しては、洗浄剤をブラシ部分に振り掛けるか染み込ませて擦るか、洗浄剤を食器類等の汚れ部分に直接振り掛けておいてブラシで擦るかであって、何れの場合も、洗浄剤がもつ洗浄力を利用して汚れを落としているのが現状である。そのため、洗浄剤が粉末状であるか、液状であるかを問わず、洗浄の度に洗浄剤を使用し水と共に汚水を排出している。そのため、自然環境の破壊に繋がる一因となって、解決すべき社会問題となっている。
【０００４】
他方、近来では、手指の荒れにくい皮膚に優しい植物性の食器洗いや台所用品洗い用の洗剤も身近なものになってきているが、これらの洗剤や洗浄剤を使用している限りにおいて、未だ皮膚荒れ現象を払拭することはできず、汚水の排出による自然破壊原因の一つとなっている。
【０００５】
現在使用されている合成洗剤には、大別するとＡＢＳ系洗剤（鉱油系洗剤）、高級アルコール系洗剤、非イオン系洗剤があり、ＡＢＳ系洗剤は、皮膚炎や肝臓障害を引き起す危険性から既に一部でしか使用されなくなりつつあるが、現在主流を占めている高級アルコール系洗剤や非イオン系洗剤にあっても洗浄効果を高めるために添加されているリン酸分などの含有物によって、これを栄養分とするプランクトンの異常発生原因となっており、このことに起因する河川や湖沼の汚濁や汚染が恒常的に社会問題化し、沿岸海域の汚染も進んでおり、その解決が求められている。
【０００６】
このように現在使用されている各種の洗剤や洗浄剤は、このような地球環境への悪影響の発生原因のみに止まらず、人体に対する皮膚障害の発生原因にもなっているため素手での洗浄作業は極力回避し、手袋を着用して行わなければならないのが現状である。
【０００７】
そのため、本出願人は、このような課題を解決する有効な手段として、特許文献１（特開平１１−１８７９３３号公報）にみられるように、洗浄体部分即ち、ブラシ体部分を構成する繊維体の構造を特殊形状のものとすることにより、洗剤等を使用することなく水を含ませて擦るだけで汚れを落とすことができる繊維体を開発した。また、本出願人は、この洗浄用繊維体をブラシ柄の先端に球状または近似の塊状に固着させて、握柄付きブラシとして使用することについても、前記特許文献１の他、特許文献２（特開２００２−１０８３１号公報）にみられるように既に開発済みである。
【特許文献１】特開平１１−１８７９３３号公報
【特許文献２】特開２００２−１０８３１号公報
【発明の開示】
【発明が解決しようとする課題】
【０００８】
而して、これらの先行開発技術にあっては、洗浄剤をほとんど使用することなく、食器類や台所用品類の洗浄を略確実に行うことができるという点で画期的なものであるが、第1の課題は、ブラシ体を構成する無数の単繊維の結束技術が未だ不完全なものであったため、ブラシ体を形成するための、平行配置された無数の単繊維が繊維の長手方向に移動し易く、能動的に引き抜かれなくても、使用している間に食器類等との接触摩擦によって繊維の移動が発生し、長年使用すると、繊維の抜け落ちにより次第にブラシ体が痩せ細って原形が崩れ、使用に耐えなくなるという課題を有することが確認されるに至った。
【０００９】
他方、食器類には、ガラスコップのような深さがあまり深くない短尺の容器、即ち、短尺ではあるが指先が底までは届きにくく、皿類等の洗浄スポンジやタワシ類では、コップの底隅までは確実に洗浄しにくく、また、飲料水の冷蔵庫内収容用ポットのような、コップ類に比して深めの長尺容器類の場合は、その深さに相応しい長い柄のブラシ体でなければ底面及び底面周囲の洗浄ができないという問題がある。そのため、従来では、長さの異なる長短２種のブラシを必要としていた。
【００１０】
そこで、本発明は、このような二つの課題を根元的に解決し、繊維の摩耗による変化を除けば、長年使用しても繊維の抜け落ちによる痩せ現象がほとんどなく、ブラシ体が当初の形状を維持し続け、使用感覚に変化を生じるような事態の発生が少なく、当初の洗浄効果を長い期間に亘って維持させておくことができ、また、ガラスコップのような短尺の食器類でも、冷却用水ポットのような深いまたは長尺の筒体類であっても、低面及びその周縁部まで確実に清浄することができる洗浄用ブラシを提供することを目的としてなされたものである。
【課題を解決するための手段】
【００１１】
該目的を達成するために講じた本発明にいう洗浄用ブラシの第１の構成を、実施例において使用した符号を用いて説明すると、断面形状が略三角形状に形成された延伸モノフィラメント２１に捲縮加工が施された多数本の単繊維２２が引き揃えられて撚り加工を施された紐状体２３が、所定長さに切断されて多数本並列配置され、該切断紐状体列２３ａの幅方向長さｗの略中間部分ｃに各単繊維２２の個別移動を阻止する繊維固定手段２４が施されて形成された紐状体並列体２５が、その一端側から簀巻き状に巻かれて一塊の柱状またはボール状に形成されたブラシ体２が、その幅方向中間部分cの外周部が適宜の結束手段３によって緊締挟持された状態で、長手方向略中間部に折畳み姿勢Ｆと伸張姿勢Ｌとに変形可能な折曲げ部１２を備えた握り柄１の先端部１１に固着されている構成としたものである。
【００１２】
また、該洗浄用ブラシに関する第２の構成は、断面形状が略四角形状に形成された延伸モノフィラメント４１に捲縮加工が施された多数本の単繊維４２が引き揃えられて撚り加工を施された紐状体４３が、所定長さに切断されて多数本並列配置され、該切断紐状体列４３ａの幅方向長さｗの略中間部分ｃに各単繊維４２の個別移動を阻止する繊維固定手段２４が施されて形成された紐状体並列体４５が、その一端側から簀巻き状に巻かれて一塊の柱状またはボール状に形成されたブラシ体４が、その幅方向中間部分cの外周部が適宜の結束手段３によって緊締挟持された状態で、長手方向略中間部に折畳み姿勢Ｆと伸張姿勢Ｌとに変形可能な折曲げ部１２を備えた握り柄１の先端部１１に固着されている構成としたものである。
【発明の効果】
【００１３】
以上の説明から明らかなように、本発明にいうところの洗浄用ブラシは、断面形状を略三角形状または略四角形状に形成した延伸モノフィラメントに捲縮加工を施した単繊維を多数本引き揃えて撚り加工を施して得た紐状体を所定長さに切断して多数本並列配置し、該切断紐状体列の幅方向の略中間部分を繊維固定手段によって各単繊維の個別移動を阻止するようにしたものであり、このように紐状体の時点で単繊維の個別移動を阻止する手段を施してあるので、ブラシ体としての使用に際して個々の単繊維がブラシの塊から抜け出したり移動したりすることをほぼ確実に阻止することができ、ブラシ体を長年使用しても繊維の抜け落ちによる痩せ現象がほとんどなく、ブラシ体が当初の形状を維持し続け、当初の洗浄効果を長期に亘って維持させておくことができるという効果を有する。
【００１４】
また、前記のように紐状体の時点で、単繊維の個別移動を阻止する繊維固定手段を施した紐状体並列体を、一端側から簀巻き状に巻きこんで一塊の柱状またはボール状としてあるブラシ体を形成し、更に、その幅方向中間部分の外周部を結束手段によって緊締挟持させたものとして、握り柄の先端に固着させたものであるから、ブラシ体の形成が極めて容易に効率よくできるという効果を有しており、このようにしたブラシ体を、長手方向の略中間部において折畳み姿勢Ｆと伸張姿勢Ｌとに変形可能とした折曲げ部を備えた握り柄の
先端部に固着させたものとしてあるので、ブラシ体を構成する個々の繊維がブラシ体の塊から抜け出したり移動したりすることがない状態で、ガラスコップのような深さがあまり深くない短尺の容器や、飲料水等の冷蔵庫内収容用ポットのような、コップ類に比して深めの長尺容器類であっても、ブラシ体の握り柄を長短に変化させるだけで、容器の深さに相応しい長さのブラシ体として、深形容器の底面のみならず底面周辺の洗浄を、洗浄剤を使用することなく水だけで清潔に洗浄できるという顕著な効果を期待することができるに至ったのである。
【発明を実施するための最良の形態】
【００１５】
本発明にいうところの洗浄用ブラシは、握り柄１の形態を、折曲げ部１２の近傍箇所に吊り下げ係止用穴１４を備えたものとしておくと、使用時には柄を伸ばして長尺のブラシとして使用することができるものでありながら、非使用時には嵩を小さくして吊り下げておくことができる点で好ましい。
【００１６】
前記繊維固定手段は、ミシンを用いた縫い糸による縫製手段とすることが生産効率の点と常温下で作業できる点で好ましい手段であるが、後述するように、例えば外周面に歯車状の突出部を備えた円盤体を回転させて鎖線状に加圧加熱させることによって繊維同士を熱融着させる手段を採用した場合には、繊維どうしの相対移動を確実に阻止させることができるという点で好ましい。
【００１７】
また、多数の単繊維を引き揃えて撚り加工を施した紐状体の太さは、外圧を加えない状態で、例えば２〜１０ｍｍ程度のものとしておくこと、殊に４〜６ｍｍ程度の太さのものとしておくと、単繊維の抜け防止を効率よく行うことができる点で好ましい。
【実施例】
【００１８】
以下本発明の実施例について図面に基づいて説明する。図中、図１乃至図６は、本発明の洗浄用ブラシの実施例を示す図であって、図１は短尺状態を示す斜視図、図２は長尺状態を示す斜視図、図３は屈折途中の状態を示す斜視図、図４は柄を分解した状態を示す平面図、図５は同底面図、図６は非使用状態を示す斜視図である。
【００１９】
図１は、本発明にいうところの洗浄用ブラシの握り柄１を折り畳んだ短縮姿勢を、図２は、握り柄１を直線状とした伸張姿勢をそれぞれ示してある。該握り柄１は、伸張姿勢とした場合の略中間部で前後に２分割された先端側部材１Ａと後端側部材１Ｂとからなっていて、何れもポリプロピレン樹脂（ＰＰ）を周知の射出成形手段によって射出形成したもので、両者は折り曲げ部１２において接続ピン１３を介して折り畳み自在に軸連結されている。図３は、この折り曲げ姿勢と伸張姿勢との切替時の途中状態を示している。先端側部材１Ａの先端部１１には、後述するブラシ体２を連結固着してある。
【００２０】
而して、折り曲げ姿勢とした状態では、図１に示したように、例えばガラスコップ６Ａのような深さがあまり深くない短尺の容器を洗浄するのに適しており、伸張姿勢とした状態では、図２に示したように、例えば飲料水等を入れて冷蔵庫で冷やしておくのに使用されている冷蔵庫内収容用ポット６Ｂやビールジョッキーのような、コップ類に比して深めの長尺容器類の洗浄に適したブラシ体として使用することができるようにしたものであって、ブラシ体の握り柄１を長短に変化させるだけで、容器の深さに相応しい長さのブラシ体として使用することができるようにしたものである。
【００２１】
これら握り柄１を構成する先端側部材１Ａには、図５に示したように、連結部１２側の背面側に幅方向に沿った一本のリブ１６を突出形成してあり、後端側部材１Ｂには、図４に示したように、連結部１２側の表面側に幅方向に沿った二本のリブ１７を突出形成してあり、両部材１Ａ，１Ｂを伸張姿勢としたとき、先端側部材１Ａに形成してあるリブ１６が、後端側部材１Ｂに形成してある二本のリブ１７間に形成された谷間に嵌り込んで伸張姿勢を維持するようにしてある。この伸張姿勢の維持手段としては、何れが二本リブであってもよいことは言うまでもなく、他の手段として、例えば、先端側部材１Ａに形成したフック係止用貫通穴１４に対して、その対応箇所に突出させた突起１８を契合させることによっても構成することができ、その他の周知手段を講じてもよい。
【００２２】
このようにしたブラシを使用しない場合には、図６に示したように、握り柄１を折り畳んで短縮姿勢に変化させた状態として、先端側部材１Ａに形成した前記のフック係止用貫通穴１４を利用して係止用フック７に係止させておくことができるようにしてある。なお図中において符号１５で示した部分は、滑り止めとデザインとを兼ねた小凹部である。
【００２３】
而して、先端側部材１Ａの先端部１１には、図１３に示したように、ブラシ体２の結束体３としてのバンドを挿通させて固着するための開口部１９を形成してある。
【００２４】
次に、ブラシ体２の構造についての第１実施例を詳細に説明する。該ブラシ体２は、無数の細繊維を密集させて塊状としたものであって、その構成繊維は、ポリエステル樹脂を樹脂繊維押出しダイに形成した特殊形状のオリフィスから押し出したモノフィラメントであって、図１４に拡大して示したように、断面形状を先鋭な頂点をもつ略正三角形状としたモノフィラメントに延伸加工を施して太さ３０〜４０デニールとしたモノフィラメント２１を用いて、図７のように、捲縮加工を施して得た単繊維２２を、図８のように、多数本引き揃えて、これに緩い撚りを掛けることによって、非圧縮状態での太さを４〜６ｍｍ程度とした紐状体２３を形成する。
【００２５】
このようにして形成した紐状体２３を、図９のように、例えば長さ８０ｍｍに切り揃えて多数本並列配置することによって、幅方向ｗの長さを約８０ｍｍとした紐列を形成し、その幅方向ｗの略中間部分ｃを、繊維固定手段２４として、図のように、少許の間隔を隔てて２列にミシン掛け縫製することにより、この段階で、各紐状体２３を形成している単繊維２２の抜け出しや個別移動を阻止する手段を講じておく。また、この縫製部分の終端部分２４ａを加熱溶融して終端部の紐状体２３が崩れるの防止してある。
【００２６】
このようにして形成した紐状体並列体２５を、図１０のように、一端側から順次簀巻き状に巻き込んで、図１１のように、全体を渦巻き状として一塊のブラシ体２を形成する。
【００２７】
続いて、このように渦巻き状に巻いて一塊としたブラシ体２を、その幅方向ｗの中間部分ｃを、図１２に示したように、中間部分３ａをＣリング状とし、その解放両端を外径方向に向けて突出させた脚部３ｂ，３ｂと、その先端部を更に横外側に折り曲げた外方突出部３ｃ，３ｃとを備え、平面視概形をΩ形とした結束体３によって圧縮挟持させて、図１３に示した矢印ａに従って結束体３の脚部３ｂ，３ｂを握り柄１の先端部１１に形成してある開口部１９に圧入し、その外方突出部３ｃ，３ｃを握り柄１の係止穴内に係止させる
。なお、図１３の符号２０は、外方突出部３ｃ，３ｃの係止を解除操作するための穴である。また、前記結束体３はナイロン樹脂（商標名＝ポリアミド系合成高分子）を用いて射出成形したものである。このようにして、図１に示した本発明の第１実施例にいうところの洗浄用ブラシを得る。
【００２８】
このようにして形成した該第１実施例にいうところの洗浄用ブラシは、ブラシ体２を構成する個々の単繊維２２の断面形状を先鋭な頂点をもつ略正三角形状としたものであるから、図１４に示したように、湯あかや水あかのような汚れや、食器類の油汚れを個々の単繊維２２の先鋭な頂点で擦り取ることができる。一旦擦り取った汚れは繊維間に抱き込んだ水の中に漂わせて抱え込ませておくことができるので、再び清掃面に向けて擦り付けることがないので、洗浄剤を使用することなく水だけで効率よく汚れを落とすことができるのである。
【００２９】
図１５乃至図１９は、第２実施例を示したものである。而して、図１５は、断面形状を四方に突出する突条部４０、４０…を備えた略四角形状に形成した延伸モノフィラメント４１の断面形状を拡大して示したものである。
【００３０】
このような断面形状を略四角形状とした延伸モノフィラメント４１を、前記第１実施例のように、捲縮加工を施して捲縮させた単繊維４２を、図１６のように、多数本引き揃えて撚り加工を施すことによって、撚りを備えた紐状体４３を形成する。
【００３１】
図１７は、この紐状体４３を、前記第１実施例のように、所定長さに揃えて多数本並列配置させ、各単繊維４２の個別移動を阻止する繊維固定手段２４として、その幅方向ｗの略中間部分ｃの上下に溶融可能な樹脂製の細幅フィルムか編組テープ５１，５１を当てがい、図１８に示したように、外周面を歯車状に凹凸させた上下２枚の加圧加熱回転体５２，５２の間に通して、これらのフィルム又はテープ５１，５１上を挟み込ませるようにして、これらのフィルム又はテープ５１，５１とともに、これらのテープ間に挟み込ませた紐状体４３を鎖線状に溶融させて融着５３させる。このようにすることによって、紐状体４３を形成する単繊維４２の抜け移動を阻止するようにしたものである。これ以降のブラシ体２の形成手段については、前記第１実施例の説明に準ずる。ここにいうところのフィルム又はテープ５１は上下に使用する必要はなく、片面だけに使用してもよい。
【００３２】
このようにして形成されたブラシ体２にあっても、図１９に示したように、ブラシ体２を構成する個々の単繊維４２の先鋭な頂点４０，４０…で、湯あかや水あかのような汚れや、食器類の油汚れを擦り取ることができるので、前記第１実施例において示したブラシ体の場合と同様に、洗浄剤を使用することなく水だけで効率よく汚れを落とすことができる。
【００３３】
以上に説明したモノフィラメントの形成素材は、ポリエチレンテレフタレート繊維に代表されるポリエステル繊維とすることが、水洗による清浄効果が著しい点で好ましい。また、モノフィラメントの太さにあっても、前記実施例において示した３０〜４０デニールのものに限られるものではなく、例えば２０〜１００デニールの範囲内の繊維であれば、洗浄効率のよい繊維として使用することができる。
【００３４】
前記繊維固定手段は、ミシンを用いた縫い糸による縫製手段とすることが生産効率の点で好ましいが、後述するように、例えば外周面に歯車状の突出部を備えた円盤体を回転させて鎖線状や×線状に加圧加熱させて熱融着させる手段を採用しても、効率よく単繊維の抜け防止を講じることができる。
【００３５】
前記紐状体の非圧縮状態での太さは、前記実施例において示した４〜６ｍｍ程度のものに限られるものではなく、例えば２〜１０ｍｍ程度のものとしても、単繊維の抜け防止を効率よく行うことができる。
【００３６】
また、結束体の形成素材は、ナイロン素材に限られるものではなく、適宜の靱性と弾性とを備えた樹脂素材であれば特に限定されるものではなく、針金のような線材とか、金属帯材のような金属素材を用いてもよい。
【００３７】
更に、握り柄の形成素材にあっては、ポリプロピレンやポリエチレン等のポリオレフィン系合成樹脂に限られるものではなく、その他の合成樹脂素材を用いることができ、合成樹脂素材の射出成形品とすることが任意の形状にし易い点と清潔感が得られる点で好ましいが、木材や竹のような天然素材を用いて形成することもできる。
【産業上の利用可能性】
【００３８】
以上のように、本発明にいうところの洗浄用ブラシは、従来のように洗浄の都度、洗浄剤を使用することなく、固形化した強固な汚れの場合を除き、水だけの洗浄で汚れを落とすことができ、折り曲げ姿勢としてコップ等を洗浄し、伸張姿勢として深い筒形容器を洗浄することができるので、大いに社会に受け入れられて普及するものと思われる。
【図面の簡単な説明】
【００３９】
【図１】本発明にかかる洗浄用ブラシの折り畳み状態を示す斜視図。
【図２】同ブラシの伸張状態を示す斜視図。
【図３】同ブラシの折り畳み途中状態を示す斜視図。
【図４】同ブラシの握り柄を分離した状態を示す平面図。
【図５】同背面図。
【図６】同ブラシの非使用状態を示す斜視図。
【図７】ブラシ体を構成する単繊維を示す側面図。
【図８】多数の単繊維を集めて撚り加工を施す前の紐状体を示す側面図。
【図９】紐状体の並列配置状態と繊維固定状態とを示す平面図（ａ）と側面図（ｂ）。
【図１０】紐状体並列体を一端側から簀巻き状に巻き込む途中状態を示す平面図（ａ）と側面図（ｂ）。
【図１１】簀巻き状に巻き終わった状態を示す平面図（ａ）と側面図（ｂ）。
【図１２】ブラシ体を結束して握り柄に固着させるための結束体を示す斜視図。
【図１３】ブラシ体を結束体で結束した状態と握り柄への固着手段を示す斜視図。
【図１４】ブラシ体による洗浄例を拡大して示した模式図。
【図１５】他の実施例を示すモノフィラメントの拡大断面図。
【図１６】多数の単繊維を集めて撚り加工を施す前の紐状体を示す側面図。
【図１７】紐状体の並列配置状態と繊維固定状態とを示す平面図。
【図１８】並列配置状態とした紐状体を繊維固定状態に加工する手段を示す側面図。
【図１９】ブラシ体による洗浄例を拡大して示した模式図。
【符号の説明】
【００４０】
１      握り柄
２      ブラシ体
３      結束体
４      ブラシ体
１１    先端部
１２    折曲げ部
２１    延伸モノフィラメント
２２    単繊維
２３    紐状体
２３ａ  切断紐状体列
２４    繊維固定手段
２５    紐状体並列体
４１    延伸モノフィラメント
４２    単繊維
４３ａ  切断紐状体列
４３    紐状体
４５    紐状体並列体
ｃ      幅方向中間部分
ｗ      幅方向の長さ
Ｆ      折畳み姿勢
Ｌ      伸張姿勢
【図１】
0004616192.tif 000002
【図２】
0004616192.tif 000003
【図３】
0004616192.tif 000004
【図４】
0004616192.tif 000005
【図５】
0004616192.tif 000006
【図６】
0004616192.tif 000007
【図７】
0004616192.tif 000008
【図８】
0004616192.tif 000009
【図９】
0004616192.tif 000010
【図１０】
0004616192.tif 000011
【図１１】
0004616192.tif 000012
【図１２】
0004616192.tif 000013
【図１３】
0004616192.tif 000014
【図１４】
0004616192.tif 000015
【図１５】
0004616192.tif 000016
【図１６】
0004616192.tif 000017
【図１７】
0004616192.tif 000018
【図１８】
0004616192.tif 000019
【図１９】
0004616192.tif 000020